(57)【要約】【課題】ガン玉装填装置を提供する。【解決手段】本発明のガン玉装填装置は、ベースと上蓋と押し板とガン玉カセットモジュールと搬送モジュールとボルト部材とを備える。前記ベースは、設置部とレールとシュートと位置決め用ピンと挟持台と対応台とを有し、ガン玉カセットモジュール及び搬送モジュールが設置される。前記上蓋は押し板が設置される凹設部を有し、前記押し板は複数の貫通孔を有し、前記押し板は一端から抑圧部材が延伸される。前記ガン玉カセットモジュールはガン玉保存カセット及びガン玉装填部材を有し、前記搬送モジュールは、搬送ロッド部材と位置決め部材とプッシュロッドとを有し、前記ボルト部材により全体の部材が固持される。本発明はカセットモジュールにより複数のガン玉を保存させるのみならず、ガン玉が高速に搬送され、釣り糸の間に精確に狭着されて使用される。【選択図】図１
2018113956.tif 000002
【特許請求の範囲】
【請求項１】
設置部と、レールと、シュートと、位置決め用ピンと、挟持台と、対応台とを有し、ガン玉カセットモジュール及び搬送モジュールが設置され、且つ上蓋に対応させるベースと、
押し板が設置される凹設部を有し、且つベースに対応させる上蓋であって、前記押し板は複数の貫通孔を有すると共に上蓋に対応させることと、
一端から抑圧部材が延伸され、且つ上蓋の凹設部に対応させる押し板と、
ガン玉保存カセット及びガン玉装填部材を有し、前記ガン玉保存カセットはベースの設置部に対応させ、前記ガン玉装填部材はベースのレールとガン玉保存カセットのレールとの間に対応させるガン玉カセットモジュールと、
搬送ロッド部材と、位置決め部材と、プッシュロッドとを有する搬送モジュールであって、前記搬送モジュールはベースの位置決め用ピンの間に相互に重畳されるように穿設され、且つベースのシュートの箇所に設置されることと、
押し板と上蓋との間に穿設され、且つベースの対応台の間に螺着されるボルト部材とを備え、
これにより、カセットモジュールに複数のガン玉が保存されるのみならず、ガン玉が高速に搬送され、釣り糸の間に精確に狭着されて使用され、ガン玉の狭着効率が高まることを特徴とするガン玉装填装置。
【請求項２】
前記ベースの設置部はガン玉カセットモジュールを嵌設させるように設置されることを特徴とする、請求項１に記載のガン玉装填装置。
【請求項３】
前記ベースのシュートには搬送モジュールが設置され、且つ搬送モジュールの位置決め部材はベースの位置決め用ピンを軸として回転を行い、ガン玉が精確に定位されると共に輸送されることを特徴とする、請求項１に記載のガン玉装填装置。
【請求項４】
前記ベースの挟持台の両側にはボスを有し、前記ボス及びベースの一側の壁面にはスロットが形成され、釣り糸が設置されることを特徴とする、請求項１に記載のガン玉装填装置。
【請求項５】
前記ガン玉カセットモジュールのガン玉保存カセットは収納部及びレールを有し、前記収納部には複数のガン玉が穿設され、前記レールにはガン玉装填部材が嵌設され、前記ガン玉装填部材は抑圧部と、プッシュ部と、凹部とを有し、前記抑圧部はガン玉を装填させ、前記プッシュ部は指で接触され、前記凹部はガン玉保存カセットのレール及びベースのレールの嵌設に対応させることを特徴とする、請求項１に記載のガン玉装填装置。
【請求項６】
前記搬送モジュールの搬送ロッド部材は結合台と、第一合板と、第二合板とを有し、ガン玉を輸送させると共に狭着させ、搬送ロッド部材及び位置決め部材によりガン玉が定位され、且つ押し板により搬送ロッド部材の第一合板が抑圧され、第二合板と共に挟持動作が行われ、ガン玉が釣り糸に対して狭着されることを特徴とする、請求項１に記載のガン玉装填装置。
【発明の詳細な説明】
【技術分野】
【０００１】
本発明は、ガン玉装填装置に関し、更に詳しくは、ガン玉カセットモジュール及び保存されるガン玉を有し、搬送モジュールによりガン玉が精確に輸送されて定位され、前述の保存及び搬送モジュールによりガン玉の狭着効率及び精確性が高まり、且つガン玉カセットモジュールの使用後には前記モジュールを交換させることができ、使用上の利便性及び再利用性も向上するガン玉装填装置に関する。
【背景技術】
【０００２】
忙しく過ごした後にとる休息において、生活の上での様々な挑戦に備え、活力を得るために、リラックスして過ごす際にできるレジャーの種類も多く、例えば家族旅行、ボール運動、自転車、ハイキング、釣り等がある。人々は趣味に合わせて多くのレジャーから自分に合ったものを選び、同じ趣味をもった者と一緒に学び、話し合いを重ねて互いを鼓舞している。そして、釣りは台湾において多くの人が熱狂するレジャーであり、釣りは釣竿、釣り糸、餌、鉛の重り、浮き等を釣り場の環境及び魚の種類に合わせて選択して組み合わせるが、当然ながら忍耐力と経験を持ち合わせ、環境を観察できなければ収穫を得られなかった。
【０００３】
なお、釣りの鉛の重りも非常に重要であり、水深に合わせて適度な重量のものを選び、浮き及び釣り糸の反応の精度を高め、釣り人が確実に魚を吊れるようにする。鉛の重りは「ガン玉」と俗称され、狭着方式で釣り糸の間に固定され、重量の必要性に応じて複数の重りが狭着されて使用される。
【発明の概要】
【発明が解決しようとする課題】
【０００４】
しかしながら、従来のガン玉は球形であり、一側には溝が形成され、且つ重量の違いに基づいて直径も変わり、狭着時には指で狭着させるか、狭着器で狭着させねばならない。狭着器は補助工具となるが、ガン玉の体積は非常に小さく、且つガン玉の溝は細いため、素早く精確に釣り糸の間に狭着させるのは難しかった。また、前記ガン玉は散らばりやすいため、取り出して使用するのが難しかった。
【０００５】
また、特許文献１に記載されている魚釣り用ガン玉カセット装置は、前記カセットはガン玉が収蔵される複数の収蔵室、及びガン玉が狭装されるＵ字型の狭装装置が設置され、一側の開口部がＵ字型に設けられ、狭装装置がガン玉を釣り糸の間に狭着させるための変形の裕度を有する。前記装置は手動でガン玉を１つ１つ設置させてから狭着させねばならず、その過程は煩雑で効率が悪く、前述の従来の狭着器及び前案のガン玉装置の実施方式の欠点を勘案して、本出願者はガン玉を自動装填方式で搬送モジュールの間に輸送させ、ガン玉の輸送速度を速め、ガン玉の狭着効率及び精確性を高め、携帯及び操作の利便性を更に有する本発明の提案に到った。
【課題を解決するための手段】
【０００６】
上述した課題を解決し、目的を達成するために、本発明に係るガン玉装填装置は、
設置部と、レールと、シュートと、位置決め用ピンと、挟持台と、対応台とを有し、ガン玉カセットモジュール及び搬送モジュールが設置され、且つ上蓋に対応させるベースと、押し板が設置される凹設部を有し、且つベースに対応させる上蓋であって、前記押し板は複数の貫通孔を有すると共に上蓋に対応させることと、一端から抑圧部材が延伸され、且つ上蓋の凹設部に対応させる押し板と、ガン玉保存カセット及びガン玉装填部材を有し、前記ガン玉保存カセットはベースの設置部に対応させ、前記ガン玉装填部材はベースのレールとガン玉保存カセットのレールとの間に対応させるガン玉カセットモジュールと、
搬送ロッド部材と、位置決め部材と、プッシュロッドとを有する搬送モジュールであって、前記搬送モジュールはベースの位置決め用ピンの間に相互に重畳されるように穿設され、且つベースのシュートの箇所に設置されることと、
押し板と上蓋との間に穿設され、且つベースの対応台の間に螺着されるボルト部材とを備え、これにより、カセットモジュールに複数のガン玉が保存されるのみならず、ガン玉が高速に搬送され、釣り糸の間に精確に狭着されて使用され、ガン玉の狭着効率が高まることを特徴とする。
【先行技術文献】
【特許文献】
【０００７】
【特許文献１】台湾実用新案第１２０５３４号公報
【０００８】
そこで、本発明者は上記の欠点が改善可能と考え、鋭意検討を重ねた結果、合理的かつ効果的に課題を改善する本発明の提案に到った。
【０００９】
本発明は、以上の従来技術の課題を解決する為になされたものである。即ち、本発明は、ガン玉装填装置を提供することを目的とする。換言すれば、ガン玉がカセットモジュール化されて保存される。また、搬送モジュールによりガン玉の溝が釣り糸に対応させることにより狭着され、極めて高い実用性及び利便性を有する。
【００１０】
本発明の他の目的は、ガン玉付け自動装置を提供することである。換言すれば、ガン玉を輸送させて狭着させるための搬送モジュールを有し、搬送ロッド部材及び位置決め部材によりガン玉が定位され、且つ押し板により搬送ロッド部材が抑圧され、ガン玉が釣り糸に対して狭着され、これにより使用効率が高まる。
【図面の簡単な説明】
【００１１】
【図１】本発明に係るガン玉装填装置を示す外観斜視図である。
【図２】本発明に係るガン玉装填装置を示す展開図である。
【図３】本発明に係るガン玉装填装置のガン玉カセット及び搬送モジュールの作動を示す概略図である。
【図４】本発明に係るガン玉装填装置の搬送モジュールを示す概略図である。
【図５】本発明に係るガン玉装填装置の搬送モジュールの作動を示す概略図である。
【図６】本発明の好ましい実施形態に係るガン玉装填装置のガン玉挟持を示す概略図である。
【図７】本発明の好ましい実施形態に係るガン玉装填装置のガン玉挟持を示す概略図である。
【発明を実施するための形態】
【００１２】
以下、図面を参照して本発明に係るガン玉装填装置の実施形態について説明する。尚、以下に説明する実施の形態は、特許請求の範囲に記載された本案の内容を限定するものではない。また、以下に説明される構成の全てが、本発明の必須要件であるとは限らない。
（実施形態）
【００１３】
以下、本発明の実施形態について、図面を参照しながら説明する。本発明のガン玉装填装置１は、ベース１０と、上蓋１１と、押し板１２と、ガン玉カセットモジュール１３と、搬送モジュール１４と、ボルト部材１５とを備え、ガン玉装填装置が形成される（図１乃至図３参照）。
【００１４】
前記ベース１０は、設置部１００とレール１０１とシュート１０２と位置決め用ピン１０３と挟持台１０４と対応台１０５とを有する。前記設置部１００は、ガン玉カセットモジュール１３のガン玉保存カセット１３０に対応させる空間を有し、且つ前記設置部１００の一端には切欠き１００１が形成され、切欠き１００１の側部には位置決め用ボス１０００が形成され、前記切欠き１００１及びボス１０００はガン玉カセットモジュール１３のガン玉保存カセット１３０の突起部１３０３及び位置決め部１３０２に対応させると共に定位させる。前記レール１０１は設置部１００の一側の弧状の壁面に位置され、ガン玉カセットモジュール１３のガン玉保存カセット１３０が設置部１００に装入されると、前記ガン玉カセットモジュール１３のガン玉装填部材１３１の凹部１３１２が対応するように嵌設される。前記シュート１０２はベース１０の中心箇所に設置され、一側には開口部が形成されると共に挟持台１０４に対応させ、シュート１０２には搬送モジュール１４が対応するように設置される。前記位置決め用ピン１０３はシュート１０２の閉鎖端の一側に形成され、且つ搬送モジュール１４の位置決め部材１４１の軸穴１４１０に対応するように穿設される。前記挟持台１０４はベース１０の一側に形成され、中心部はシュート１０２が貫通させることにより左右に区分される。前記挟持台１０４は隅箇所にボス１０４０が形成され、前記ボス１０４０及び一側の壁部１０４１にはスリットｂが形成され、前記スリットｂには釣り糸が穿設される。前記対応台１０５はシュート１０２とレール１０１との間に周設され、円周の間に布設される複数のボルト穴１０５０を有し、前記ボルト穴１０５０は上蓋１１の貫通孔１１００及びボルト部材１５が対応するようにボルトで固定される。
【００１５】
また、前記上蓋１１は環状の板体に近似し、中心部には柄状の凹設部１１０が形成され、前記凹設部１１０の間には矩形の穿設部１１０１及び複数の貫通孔１１００が形成される。前記穿設部１１０１には搬送モジュール１４のプッシュロッド１４２が設置され、前記貫通孔１１００はベース１０のボルト穴１０５０及び押し板１２の貫通孔１２１に対応させ、前述の凹設部１１０には押し板１２が対応するように設置される。
【００１６】
前記押し板１２は柄状の板体として上蓋１１の凹設部１１０の間に対応させるように形成され、一端からは鉤状の抑圧部材１２０が延伸される。押し板１２の間には複数の貫通孔１２１及び矩形の中空部１２２が形成され、前記抑圧部材１２０は搬送モジュール１４の搬送ロッド部材１４０に対応させるように抑圧させる。前記貫通孔１２１は上蓋１１の貫通孔１１００に対応させ、且つボルト部材１５はベース１０の対応台１０５のボルト穴１０５０の間に螺着されるように穿設される。
【００１７】
前記ガン玉カセットモジュール１３はガン玉保存カセット１３０及びガン玉装填部材１３１を有し、前記ガン玉保存カセット１３０は収納部１３００と、レール１３０１と、位置決め部１３０２と、突起部１３０３とを備える。前記収納部１３００は環状の板体であり、複数のガン玉２がその中に穿設され、且つガン玉２の溝方向の配列が一致するように保持される。前記レール１３０１は環状の壁面であり、ガン玉装填部材１３１の凹部１３１２に対応させる。前記位置決め部１３０２及び突起部１３０３は対応し合ってフールプルーフ作用を発生させ、ベース１０の設置部１００の位置決め用ボス１０００及び切欠き１００１にそれぞれ対応させる。前記ガン玉装填部材１３１は当接ブロックであり、抑圧部１３１０と、プッシュ部１３１１と、凹部１３１２とを有し、前記抑圧部１３１０はガン玉保存カセット１３０の収納部１３００に対応させ、ガン玉２に当接させるように使用される。前記プッシュ部１３１１は指で押されることにより連動され、前記凹部１３１２は跨設されて定位され、且つガン玉保存カセット１３０のレール１３０１とベース１０のレール１０１との間に跨設され、ガン玉装填部材１３１がレール１３０１、１０１に沿ってガン玉２を装填させる。
【００１８】
なお、前記搬送モジュール１４は搬送ロッド部材１４０と、位置決め部材１４１と、プッシュロッド１４２とを備え、前記搬送ロッド部材１４０は結合台１４００と、第一合板１４０１と、第二合板１４０２とを有する。前記結合台１４００は中空の矩形のブロック体であり、一端には上下に対応する第一合板１４０１及び第二合板１４０２が形成され、前記第一合板１４０１は結合台１４００の一端から延伸されると共に延伸される端部の箇所に溝部１４０１０が形成され、前記第二合板１４０２は結合台１４００の一端から延伸されると共に延伸される端部の箇所に溝部１４０２０が形成される。前記溝部１４０１０及び溝部１４０２０が対応し合うことにより空間Ａが形成され、前記空間Ａにはガン玉２が設置される。前記位置決め部材１４１は軸穴１４１０と、変位チャンネル１４１１と、支持ロッド１４１２とを有し、前記軸穴１４１０はベース１０の位置決め用ピン１０３の間に対応させ、前記変位チャンネル１４１１は搬送ロッド部材１４０の結合台１４００に連結され、且つプッシュロッド１４２の連動ロッド１４２０が穿設される。前記支持ロッド１４１２は軸穴１４１０の箇所から一端に向けて延伸される鉤状ロッドであり、前記支持ロッド１４１２の端部には板状の位置決め板１４１２０が形成され、前記位置決め板１４１２０はガン玉２の溝に嵌着されると共に開口方向に外側に向けて固持させる。前記プッシュロッド１４２は連動し、一端には柱状の連動ロッド１４２０が形成され、他端にはプッシュハンドル１４２１が形成される。前記連動ロッド１４２０は位置決め部材１４１の変位チャンネル１４１１と搬送ロッド部材１４０の結合台１４００との間に穿設され、且つ変位チャンネル１４１１を経路として搬送ロッド部材１４０が一端に向けて移動させる。
【００１９】
前記ボルト部材１５により各部材が固持され、押し板１２の貫通孔１２１及び上蓋１１の貫通孔１１００に穿設され、且つベース１０の対応台１０５のボルト穴１０５０の間に螺着され、組み立てられる全ての部材が固持される。前述の各部材の関係により、本発明に係るガン玉装填装置が釣りをする際にガン玉を釣り糸の間に挟持させて使用させ、利便性が高まり、狭着効率が向上する。
【００２０】
図２乃至図５に示されるように、本発明に係るガン玉装填装置は主に前記小さいガン玉２をモジュール化させるカセットが設置され、使用効率が高まり、カセット交換の利便性が向上する。前記装填装置１はベース１０と、上蓋１１と、押し板１２と、ガン玉カセットモジュール１３と、搬送モジュール１４と、ボルト部材１５とを備える。前記ガン玉カセットモジュール１３及び搬送モジュール１４の相互の作動関係については後述する。
【００２１】
前記ガン玉カセットモジュール１３のガン玉保存カセット１３０は弧状の板体であり、板状の収納部１３００及び弧状のレール１３０１が形成される。前記収納部１３００には複数のガン玉２の溝が嵌設され、前記レール１３０１にはガン玉装填部材１３１が嵌設され、前記ガン玉装填部材１３１はレール１３０１に沿って他端に向けて移動させ、ガン玉装填部材１３１の抑圧部１３１０がガン玉２に当接されると共に一端に向けて当接させ、最も前端のガン玉２が搬送モジュール１４の搬送ロッド部材１４０の一端の空間Ａ中に移送される。
【００２２】
前記搬送モジュール１４は搬送ロッド部材１４０と、位置決め部材１４１と、プッシュロッド１４２とを備え、前記搬送ロッド部材１４０には溝部１４０１０を有する第一合板１４０１及び溝部１４０２０を有する第二合板１４０２が形成される。前記溝部１４０１０及び溝部１４０２０が対応し合うことにより空間Ａが形成され、前記空間Ａにはガン玉２が設置される。前記ガン玉２が空間Ａに移送されると、前記ガン玉２の溝が位置決め部材１４１の支持ロッド１４１２の位置決め板１４１２０の間に嵌入され、前記位置決め板１４１２０がガン玉２の溝に嵌入されることにより挟持させ、前記溝を一端に向けて精確に定位させる。
【００２３】
前記搬送モジュール１４はガン玉２を一端に向けて輸送させ、前記位置決め部材１４１及びプッシュロッド１４２が相互に連動されることにより、搬送ロッド部材１４０が一端に向けて移動される。前記搬送モジュール１４の連動関係は図４、図５及び図６に示されるように、前記搬送モジュール１４は主にガン玉２を一端に搬送させて釣り糸３に対応させ、且つガン玉２の溝の位置は変位させない。前記搬送モジュール１４の位置決め部材１４１は軸穴１４１０と、変位チャンネル１４１１と、支持ロッド１４１２とを有し、前記変位チャンネル１４１１は弧状の中空孔であり、且つプッシュロッド１４２の連動ロッド１４２０が変位チャンネル１４１１と搬送ロッド部材１４０の結合台１４００との間に穿設され、これにより搬送ロッド部材１４０が連動されて作動される。
【００２４】
前記連動ロッド１４２０が穿設された後に輸送が作動される前に、変位チャンネル１４１１の第一頂点ａ１の端に停留され、連動ロッド１４２０が輸送を作動させると、第一頂点ａ１の端から第二頂点ａ２の端に移動され、同時に前記位置決め部材１４１が軸穴１４１０を中心として一側に向けて回転させ、前記搬送ロッド部材１４０が前端に向けて移動させる。前記搬送ロッド部材１４の支持ロッド１４１２の位置決め板１４１２０がガン玉２を脱離させ、搬送ロッド部材１４０によりガン玉２が釣り糸３の端に向けて前進させると共に対応させ、ガン玉２の溝に釣り糸３が嵌められる。
【００２５】
さらに、図６乃至図７に示されるように、前記ベース１０の一端は挟持台１０４を有し、前記挟持台１０４の上端の左右両側にはボス１０４０が形成され、前記ボス１０４０と挟持台１０４の壁部１０４１との間にはスリットｂを有する。前記スリットｂには釣り糸３が設置され、搬送ロッド部材１４０によりガン玉２が一端に向けて輸送されると、釣り糸３の間に嵌められる。
【００２６】
前記ガン玉２が釣り糸３の間に嵌められると、前記ガン玉２の縦方向の上端及び下端が搬送ロッド部材１４０の第一合板１４０１及び第二合板１４０２により挟持され、上蓋１１の間に設置される押し板１２から延伸される抑圧部材１２０により第一合板１４０１が抑圧され、前記第二合板１４０２を抑圧端とし、前記ガン玉２の溝が抑圧されて密着されると共に釣り糸３が間に固持される。これにより、前述の押し板１２、ガン玉カセットモジュール１３及び搬送モジュール１４が応用されることで、ガン玉２が釣り糸３に精確に搬送されて狭着させ、且つ連続的に高速で搬送狭着作業が行われ、作業効率が高まる。                                  
【００２７】
以上、本発明の実施形態について図面を参照して詳述したが、具体的な構成はこの実施形態に限られるものではなく、本発明の要旨を逸脱しない範囲の設計変更等も含まれる。
【符号の説明】
【００２８】
１          装填装置
１０        ベース
１００      設置部
１０００    位置決め用ボス
１００１    切欠き
１０１      レール
１０２      シュート
１０３      位置決め用ピン
１０４      挟持台
１０４０    ボス
１０４１    壁部
１０５      対応台
１０５０    ボルト穴
１１        上蓋
１１０      凹設部
１１００    貫通孔
１１０１    穿設部
１２        押し板
１２０      抑圧部材
１２１      貫通孔
１２２      中空部
１３        ガン玉カセットモジュール
１３０      ガン玉保存カセット
１３００    収納部
１３０１    レール
１３０２    位置決め部
１３０３    突起部
１３１      ガン玉装填部材
１３１０    抑圧部
１３１１    プッシュ部
１３１２    凹部
１４        搬送モジュール
１４０      搬送ロッド部材
１４００    結合台
１４０１    第一合板
１４０１０  溝部
１４０２    第二合板
１４０２０  溝部
１４１      位置決め部材
１４１０    軸穴
１４１１    変位チャンネル
１４１２    支持ロッド
１４１２０  位置決め板
１４２      プッシュロッド
１４２０    連動ロッド
１４２１    プッシュハンドル
１５        ボルト部材
２          ガン玉
３          釣り糸
Ａ          空間
ｂ          スリット
ａ１        第一頂点
ａ２        第二頂点
【図１】
2018113956.tif 000003
【図２】
2018113956.tif 000004
【図３】
2018113956.tif 000005
【図４】
2018113956.tif 000006
【図５】
2018113956.tif 000007
【図６】
2018113956.tif 000008
【図７】
2018113956.tif 000009
【手続補正書】
【提出日】平成30年5月2日(2018.5.2)
【手続補正１】
【補正対象書類名】明細書
【補正対象項目名】全文
【補正方法】変更
【補正の内容】
【発明の詳細な説明】
【技術分野】
【０００１】
本発明は、ガン玉装填装置に関する。
【背景技術】
【０００２】
忙しく過ごした後にとる休息において、生活の上での様々な挑戦に備え、活力を得るために、リラックスして過ごす際にできるレジャーの種類も多く、例えば家族旅行、ボール運動、自転車、ハイキング、釣り等がある。人々は趣味に合わせて多くのレジャーから自分に合ったものを選び、同じ趣味をもった者と一緒に学び、話し合いを重ねて互いを鼓舞している。そして、釣りは台湾において多くの人が熱狂するレジャーであり、釣りは釣竿、釣り糸、餌、鉛の重り、浮き等を釣り場の環境および魚の種類に合わせて選択して組み合わせるが、当然ながら忍耐力と経験を持ち合わせ、環境を観察できなければ収穫を得られなかった。
【０００３】
なお、釣りの鉛の重りも非常に重要であり、水深に合わせて適度な重量のものを選び、浮きおよび釣り糸の反応の精度を高め、釣り人が確実に魚を吊れるようにする。鉛の重りは「ガン玉」と俗称され、狭着方式で釣り糸の間に固定され、重量の必要性に応じて複数の重りが狭着されて使用される。
【発明の概要】
【発明が解決しようとする課題】
【０００４】
しかしながら、従来のガン玉は球形であり、一側には溝が形成され、且つ重量の違いに基づいて直径も変わり、狭着時には指で狭着させるか、狭着器で狭着させねばならない。狭着器は補助工具となるが、ガン玉の体積は非常に小さく、且つガン玉の溝は細いため、素早く精確に釣り糸の間に狭着させるのは難しかった。また、前記ガン玉は散らばりやすいため、取り出して使用するのが難しかった。
【０００５】
また、特許文献１に記載されている魚釣り用ガン玉カセット装置は、前記カセットはガン玉が収蔵される複数の収蔵室、およびガン玉が狭装されるＵ字型の狭装装置が設置され、一側の開口部がＵ字型に設けられ、狭装装置がガン玉を釣り糸の間に狭着させるための変形の裕度を有する。前記装置は手動でガン玉を１つ１つ設置させてから狭着させねばならず、その過程は煩雑で効率が悪く、前述の従来の狭着器および前案のガン玉装置の実施方式の欠点を勘案して、本出願者はガン玉を自動装填方式で搬送モジュールの間に輸送させ、ガン玉の輸送速度を速め、ガン玉の狭着効率および精確性を高め、携帯および操作の利便性を更に有する本発明の提案に到った。
【課題を解決するための手段】
【０００６】
本発明に係るガン玉装填装置は、
ベース部１０と、上蓋１１と、押し板１２と、ガン玉カセットモジュール１３と、搬送モジュール１４と、を具備するガン玉装填装置であって、
前記ベース部１０は、設置部１００と、レール１０１と、シュート１０２と、位置決め用ピン１０３と、挟持台１０４と、を有し、
前記挟持台１０４の中心部に前記シュート１０２が貫通することにより、前記挟持台１０４は左右に区分され、かつ、前記挟持台１０４の両側にはボス１０４０を有し、前記ボス１０４０と前記ベース１０の一側の壁面との間にはスリットｂが形成され、前記スリットｂには釣り糸３が設置され、
前記ガン玉カセットモジュール１３を前記設置部１００に設置するとともに前記搬送モジュール１４を前記シュート１０２に設置した状態で前記ベース１０に前記上蓋１１を取り付けて前記ベース１０と前記上蓋１１との間に前記ガン玉カセットモジュール１３と前記搬送モジュール１４とを収容し、
前記上蓋１１は、前記押し板１２が設置される凹設部１１０を有しており
前記押し板１２の一端から抑圧部材１２０が延伸され、かつ、前記押し板１２は前記上蓋１１の凹設部１１０に設置され、
前記ガン玉カセットモジュール１３は、複数のガン玉２を保持するガン玉保存カセット１３０と、ガン玉装填部材１３１と、を有し、
前記ガン玉保存カセット１３０はレール１３０１を有し、前記ガン玉保存カセット１３０は前記ベース１０の前記設置部１００に設置され、
前記ガン玉装填部材１３１は、前記ベース１０の前記レール１０１および前記ガン玉保存カセット１３０の前記レール１３０１に設置されて、前記ガン玉装填部材１３１は前記レール１０１および前記レール１３０１に沿って移動し、前記ガン玉２を前記シュート１０２に向けて押出して前記ガン玉２を前記搬送モジュール１４に装填し、
前記搬送モジュール１４は、搬送ロッド部材１４０と、位置決め部材１４１と、プッシュロッド１４２と、を有し、
前記搬送ロッド部材１４０は、結合台１４００と、前記結合台１４００の一端において上下に対応するように形成された第一合板１４０１および第二合板１４０２と、を有し、前記第一合板１４０１と前記第二合板１４０２との先端によって形成される空間に前記ガン玉２を保持でき、
前記位置決め部材１４１は、
前記位置決め用ピン１０３が嵌まる軸穴１４１０と、
弧状の中空孔である変位チャンネル１４１１と、
一端に向けて延伸するように形成された鉤状のロッドであって、その端部に板状の位置決め板１４１２０が形成されている支持ロッド１４１２と、を有し、
前記プッシュロッド１４２は、柱状の連動ロッド１４２０を有し、前記連動ロッド１４２０は前記位置決め部材１４１の前記変位チャンネル１４１１と、前記搬送ロッド部材１４０の前記結合台１４００と、に通され、
前記ガン玉装填部材１３１が前記レール１０１および前記レール１３０１に沿って移動して、前記ガン玉２を前記シュート１０２に向けて押し出して、前記ガン玉２を前記第一合板１４０１と前記第二合板１４０２との間の前記空間に装填し、
このとき、前記位置決め板１４１２０が前記ガン玉２の溝に入ることでガン玉２の溝の開口方向を外側に向けてガン玉２を保持し、
前記プッシュロッド１４２の連動ロッド１４２０を前記変位チャンネル１４１２に沿って移動させながら前記搬送ロッド部材１４０を前記シュート１０２に沿って押し出すときに、前記位置決め部材１４１は前記位置決め用ピン１０３を中心として回動することにより前記位置決め板１４１２０が前記ガン玉２の溝から離脱し、
続いて、前記ガン玉２の溝に前記釣り糸３が入るとともに、前記抑圧部材１２０により前記第一合板１４０１を抑圧して、これにより、前記第一合板１４０１と前記第二合板１４０２とによりガン玉２を抑圧して前記釣り糸３を前記ガン玉２の溝で挟み込む
ことを特徴とする。
【先行技術文献】
【特許文献】
【０００７】
【特許文献１】台湾実用新案第１２０５３４号公報
【０００８】
そこで、本発明者は上記の欠点が改善可能と考え、鋭意検討を重ねた結果、合理的かつ効果的に課題を改善する本発明の提案に到った。
【０００９】
本発明は、以上の従来技術の課題を解決する為になされたものである。即ち、本発明は、ガン玉装填装置を提供することを目的とする。換言すれば、ガン玉がカセットモジュール化されて保存される。また、搬送モジュールによりガン玉の溝が釣り糸に対応させることにより狭着され、極めて高い実用性および利便性を有する。
【００１０】
本発明の他の目的は、ガン玉付け自動装置を提供することである。
換言すれば、ガン玉を輸送させて狭着させるための搬送モジュールを有し、搬送ロッド部材および位置決め部材によりガン玉が定位され、且つ押し板により搬送ロッド部材が抑圧され、ガン玉が釣り糸に対して狭着され、これにより使用効率が高まる。
【図面の簡単な説明】
【００１１】
【図１】本発明に係るガン玉装填装置を示す外観斜視図である。
【図２】本発明に係るガン玉装填装置を示す展開図である。
【図３】本発明に係るガン玉装填装置のガン玉カセットおよび搬送モジュールの作動を示す概略図である。
【図４】本発明に係るガン玉装填装置の搬送モジュールを示す概略図である。
【図５】本発明に係るガン玉装填装置の搬送モジュールの作動を示す概略図である。
【図６】本発明の好ましい実施形態に係るガン玉装填装置のガン玉挟持を示す概略図である。
【図７】本発明の好ましい実施形態に係るガン玉装填装置のガン玉挟持を示す概略図である。
【発明を実施するための形態】
【００１２】
以下、図面を参照して本発明に係るガン玉装填装置の実施形態について説明する。
尚、以下に説明する実施の形態は、特許請求の範囲に記載された本案の内容を限定するものではない。
また、以下に説明される構成の全てが、本発明の必須要件であるとは限らない。
（実施形態）
【００１３】
以下、本発明の実施形態について、図面を参照しながら説明する。
本発明のガン玉装填装置１は、ベース１０と、上蓋１１と、押し板１２と、ガン玉カセットモジュール１３と、搬送モジュール１４と、ボルト部材１５と、を備える（図１乃至図３参照）。
【００１４】
ベース１０は、設置部１００と、レール１０１と、シュート１０２と、位置決め用ピン１０３と、挟持台１０４と、対応台１０５と、を有する。
【００１５】
設置部１００は、ガン玉カセットモジュール１３のガン玉保存カセット１３０に対応させる空間を有する。設置部１００の一端には、切欠き１００１が形成されている。切欠き１００１の側部には、位置決め用ボス１０００が形成されている。切欠き１００１、および、ボス１０００は、ガン玉カセットモジュール１３のガン玉保存カセット１３０の突起部１３０３、および、位置決め部１３０２に対応しており、これらを位置決めする。
【００１６】
レール１０１は、設置部１００の一側の弧状の壁面に位置する。ガン玉カセットモジュール１３のガン玉保存カセット１３０が設置部１００に装入されると、ガン玉カセットモジュール１３のガン玉装填部材１３１の凹部１３１２がレール１０１に対応して、レール１０１に嵌設する。
【００１７】
シュート１０２は、ベース１０の中心箇所に設置されている。シュート１０２の一側には開口部が形成されていると共にシュート１０２の一側は挟持台１０４に対応する。シュート１０２には、搬送モジュール１４が対応するように設置される。
【００１８】
位置決め用ピン１０３は、シュート１０２の閉鎖端の一側に形成されている。位置決め用ピン１０３は、搬送モジュール１４の位置決め部材１４１の軸穴１４１０に対応するように嵌まる。
【００１９】
挟持台１０４は、ベース１０の一側に形成されている。挟持台１０４の中心部にシュート１０２が貫通することにより、挟持台１０４は、左右に区分される。挟持台１０４の隅箇所にボス１０４０が形成されている。ボス１０４０および一側の壁部１０４１には、スリットｂが形成されている。スリットｂには、釣り糸が通される。
【００２０】
対応台１０５は、シュート１０２とレール１０１との間に周設されている。対応台１０５は、円周に複数のボルト穴１０５０を有する。ボルト穴１０５０は、上蓋１１の貫通孔１１００およびボルト部材１５が対応し、ボルトで固定される。
【００２１】
上蓋１１は、環状の板体に近似する。上蓋１１の中心部には、凹設部１１０が形成されている。凹設部１１０には、矩形の穿設部１１０１および複数の貫通孔１１００が形成されている。穿設部１１０１には、搬送モジュール１４のプッシュロッド１４２が通される。貫通孔１１００は、ベース１０のボルト穴１０５０および押し板１２の貫通孔１２１に対応する。凹設部１１０には、押し板１２が対応するように設置される。
【００２２】
押し板１２は、板体として上蓋１１の凹設部１１０に対応するように形成されている。押し板１２の一端からは鉤状の抑圧部材１２０が延伸している。押し板１２には、複数の貫通孔１２１および矩形の中空部１２２が形成されている。抑圧部材１２０は、搬送モジュール１４の搬送ロッド部材１４０に対応する。貫通孔１２１は、上蓋１１の貫通孔１１００に対応し、かつ、ボルト部材１５は、ベース１０の対応台１０５のボルト穴１０５０に螺着される。
【００２３】
ガン玉カセットモジュール１３は、ガン玉保存カセット１３０、および、ガン玉装填部材１３１を有する。
【００２４】
ガン玉保存カセット１３０は、収納部１３００と、レール１３０１と、位置決め部１３０２と、突起部１３０３と、を備える。
【００２５】
収納部１３００は、環状の板体であり、複数のガン玉２を保持する。
レール１３０１は、環状の壁面であり、ガン玉装填部材１３１の凹部１３１２に対応する。
位置決め部１３０２および突起部１３０３は、対応し合ってフールプルーフ作用を発生させる。位置決め部１３０２および突起部１３０３は、ベース１０の設置部１００の位置決め用ボス１０００および切欠き１００１にそれぞれ対応する。
【００２６】
ガン玉装填部材１３１は、当接ブロックであり、抑圧部１３１０と、プッシュ部１３１１と、凹部１３１２と、を有する。
【００２７】
抑圧部１３１０は、ガン玉保存カセット１３０の収納部１３００に対応し、ガン玉２に当接するように使用される。プッシュ部１３１１は、指で押されることにより動かされる。凹部１３１２がガン玉保存カセット１３０のレール１３０１とベース１０のレール１０１とを跨くようにして、ガン玉装填部材１３１が設けられ、ガン玉装填部材１３１の位置が決まる。ガン玉装填部材１３１がレール１３０１、１０１に沿って移動し、ガン玉２を装填させる。
【００２８】
搬送モジュール１４は、搬送ロッド部材１４０と、位置決め部材１４１と、プッシュロッド１４２と、を備える。
【００２９】
搬送ロッド部材１４０は、結合台１４００と、第一合板１４０１と、第二合板１４０２と、を有する。
【００３０】
結合台１４００は、中空の矩形のブロック体である。結合台１４００の一端には、上下に対応する第一合板１４０１と第二合板１４０２とが形成されている。第一合板１４０１は、結合台１４００の一端から延伸されると共に、延伸される端部の箇所に溝部１４０１０が形成されている。第二合板１４０２は、結合台１４００の一端から延伸されると共に、延伸される端部の箇所に溝部１４０２０が形成されている。溝部１４０１０と溝部１４０２０とが対応し合うことにより、空間Ａが形成され、空間Ａにはガン玉２が設置される。
【００３１】
位置決め部材１４１は、軸穴１４１０と、変位チャンネル１４１１と、支持ロッド１４１２と、を有する。
【００３２】
軸穴１４１０は、ベース１０の位置決め用ピン１０３に対応する。変位チャンネル１４１１には、プッシュロッド１４２の連動ロッド１４２０が通され、位置決め部材１４１は、搬送ロッド部材１４０の結合台１４００に連結される。支持ロッド１４１２は、軸穴１４１０の箇所から一端に向けて延伸される鉤状ロッドである。支持ロッド１４１２の端部には、板状の位置決め板１４１２０が形成されている。位置決め板１４１２０は、ガン玉２の溝に嵌まり、ガン玉２の開口方向を外側に向けて保持する。
【００３３】
プッシュロッド１４２の一端には、柱状の連動ロッド１４２０が形成され、他端にはプッシュハンドル１４２１が形成されている。連動ロッド１４２０は、位置決め部材１４１の変位チャンネル１４１１と、搬送ロッド部材１４０の結合台１４００と、に通される。連動ロッド１４２０は、変位チャンネル１４１１を経路として搬送ロッド部材１４０を一端に向けて移動させる。
【００３４】
ボルト部材１５により各部材が固持される。ボルト部材１５は、押し板１２の貫通孔１２１および上蓋１１の貫通孔１１００に通され、ボルト部材１５は、ベース１０の対応台１０５のボルト穴１０５０に螺着される。これにより、組み立てられる全ての部材が固持される。
【００３５】
前述の各部材の関係により、本発明に係るガン玉装填装置は、釣りをする際、釣り糸をガン玉の間に挟むのに使用でき、利便性が高まり、ガン玉を釣り糸に着ける効率が向上する。
【００３６】
図２乃至図５に示されるように、本発明に係るガン玉装填装置は主に小さいガン玉２をモジュール化させるカセットが設置され、使用効率が高まり、カセット交換の利便性が向上する。
装填装置１は、ベース１０と、上蓋１１と、押し板１２と、ガン玉カセットモジュール１３と、搬送モジュール１４と、ボルト部材１５と、を備える。
ガン玉カセットモジュール１３および搬送モジュール１４の相互の作動関係については後述する。
【００３７】
ガン玉カセットモジュール１３のガン玉保存カセット１３０は、弧状の板体である。ガン玉保存カセット１３０には、板状の収納部１３００と、弧状のレール１３０１と、が形成されている。収納部１３００には、ガン玉２用の溝が設けられている。レール１３０１はガン玉装填部材１３１に嵌まり、ガン玉装填部材１３１は、レール１３０１に沿って移動する。ガン玉装填部材１３１の抑圧部１３１０は、ガン玉２に当接し、ガン玉装填部材１３１が一端に向けて移動すると、最も前端のガン玉２が搬送モジュール１４の搬送ロッド部材１４０の一端の空間Ａ中に移送される。
【００３８】
搬送モジュール１４は、搬送ロッド部材１４０と、位置決め部材１４１と、プッシュロッド１４２と、を備える。
【００３９】
搬送ロッド部材１４０には、溝部１４０１０を有する第一合板１４０１と、溝部１４０２０を有する第二合板１４０２と、が形成されている。
溝部１４０１０と溝部１４０２０とが対応し合うことにより空間Ａが形成され、空間Ａにはガン玉２が設置される。ガン玉２が空間Ａに移送されると、ガン玉２の溝の間に位置決め部材１４１の支持ロッド１４１２の位置決め板１４１２０が入いる。位置決め板１４１２０がガン玉２の溝に入いることにより、ガン玉２の溝を一端に向けて精確に位置決めする。
【００４０】
搬送モジュール１４は、位置決め部材１４１とプッシュロッド１４２との相互連動により、搬送ロッド部材１４０を一端に向けて移動させ、これにより、ガン玉２を一端に向けて輸送する。搬送モジュール１４の連動関係は図４、図５および図６に示されるように、搬送モジュール１４は、ガン玉２の溝の位置は変位させないでガン玉２を一端に搬送させて釣り糸３に対応させる。
【００４１】
搬送モジュール１４の位置決め部材１４１は、軸穴１４１０と、変位チャンネル１４１１と、支持ロッド１４１２と、を有する。
【００４２】
変位チャンネル１４１１は、弧状の中空孔である。プッシュロッド１４２の連動ロッド１４２０が変位チャンネル１４１１と搬送ロッド部材１４０の結合台１４００とに嵌まり、これにより、搬送ロッド部材１４０が連動して作動する。
【００４３】
連動ロッド１４２０を変位チャンネル１４１１に嵌めた後、輸送を作動する前、連動ロッド１４２０は変位チャンネル１４１１の第一頂点ａ１の端に停留する。輸送を作動させると、連動ロッド１４２０が第一頂点ａ１の端から第二頂点ａ２の端に移動する。このとき、位置決め部材１４１が軸穴１４１０を中心として一側に向けて回転する。また、同時に、搬送ロッド部材１４０が前端に向けて移動する。位置決め部材１４１の支持ロッド１４１２の位置決め板１４１２０がガン玉２から離脱し、搬送ロッド部材１４０によりガン玉２が釣り糸３に向けて前進する。そして、ガン玉２の溝に釣り糸３が嵌められる。
【００４４】
さらに、図６乃至図７に示されるように、ベース１０の一端は、挟持台１０４を有する。
挟持台１０４の上端の左右両側にはボス１０４０が形成されている。ボス１０４０と挟持台１０４の壁部１０４１との間にはスリットｂを有する。スリットｂには釣り糸３が設置される。搬送ロッド部材１４０によりガン玉２が一端に向けて輸送されると、釣り糸３の間に嵌められる。
【００４５】
釣り糸３がガン玉２の間に嵌まるとともに、ガン玉２の縦方向の上端および下端が搬送ロッド部材１４０の第一合板１４０１と第二合板１４０２とにより挟持される。このとき、上蓋１１に設置された押し板１２から延伸される抑圧部材１２０により第一合板１４０１が抑圧される。そして、第一合板１４０１と第二合板１４０２とを抑圧の両端とし、ガン玉２の溝が抑圧されて密着されると共に釣り糸３がガン玉２の溝の間に固持される。
これにより、前述の押し板１２、ガン玉カセットモジュール１３および搬送モジュール１４が応用されることで、ガン玉２が釣り糸３に精確に搬送されて狭着し、かつ連続的に高速で搬送狭着作業が行われ、作業効率が高まる。
【００４６】
以上、本発明の実施形態について図面を参照して詳述したが、具体的な構成はこの実施形態に限られるものではなく、本発明の要旨を逸脱しない範囲の設計変更等も含まれる。
【符号の説明】
【００４７】
１…装填装置、
１０…ベース、
１００…設置部、１０００…位置決め用ボス、１００１…切欠き、１０１…レール、１０２…シュート、１０３…位置決め用ピン、１０４…挟持台、１０４０…ボス、１０４１…壁部、１０５…対応台、１０５０…ボルト穴
１１…上蓋、
１１０…凹設部、１１００…貫通孔、１１０１…穿設部、
１２…押し板、
１２０…抑圧部材、１２１…貫通孔、１２２…中空部、
１３…ガン玉カセットモジュール、
１３０…ガン玉保存カセット、１３００…収納部、１３０１…レール、１３０２…位置決め部、１３０３…突起部、
１３１…ガン玉装填部材、１３１０…抑圧部、１３１１…プッシュ部、１３１２…凹部、
１４…搬送モジュール、
１４０…搬送ロッド部材、１４００…結合台、１４０１…第一合板、１４０１０…溝部、１４０２…第二合板、１４０２０…溝部、１４１…位置決め部材、１４１０…軸穴、１４１１…変位チャンネル、１４１２…支持ロッド、１４１２０…位置決め板、１４２…プッシュロッド、１４２０…連動ロッド、１４２１…プッシュハンドル、
１５…ボルト部材、
２…ガン玉、
３…釣り糸
Ａ…空間、
ｂ…スリット、
ａ１…第一頂点、
ａ２…第二頂点。
【手続補正２】
【補正対象書類名】特許請求の範囲
【補正対象項目名】全文
【補正方法】変更
【補正の内容】
【特許請求の範囲】
【請求項１】
ベース部１０と、上蓋１１と、押し板１２と、ガン玉カセットモジュール１３と、搬送モジュール１４と、を具備するガン玉装填装置であって、
前記ベース部１０は、設置部１００と、レール１０１と、シュート１０２と、位置決め用ピン１０３と、挟持台１０４と、を有し、
前記挟持台１０４の中心部に前記シュート１０２が貫通することにより、前記挟持台１０４は左右に区分され、かつ、前記挟持台１０４の両側にはボス１０４０を有し、前記ボス１０４０と前記ベース１０の一側の壁面との間にはスリットｂが形成され、前記スリットｂには釣り糸３が設置され、
前記ガン玉カセットモジュール１３を前記設置部１００に設置するとともに前記搬送モジュール１４を前記シュート１０２に設置した状態で前記ベース１０に前記上蓋１１を取り付けて前記ベース１０と前記上蓋１１との間に前記ガン玉カセットモジュール１３と前記搬送モジュール１４とを収容し、
前記上蓋１１は、前記押し板１２が設置される凹設部１１０を有しており
前記押し板１２の一端から抑圧部材１２０が延伸され、かつ、前記押し板１２は前記上蓋１１の凹設部１１０に設置され、
前記ガン玉カセットモジュール１３は、複数のガン玉２を保持するガン玉保存カセット１３０と、ガン玉装填部材１３１と、を有し、
前記ガン玉保存カセット１３０はレール１３０１を有し、前記ガン玉保存カセット１３０は前記ベース１０の前記設置部１００に設置され、
前記ガン玉装填部材１３１は、前記ベース１０の前記レール１０１および前記ガン玉保存カセット１３０の前記レール１３０１に設置されて、前記ガン玉装填部材１３１は前記レール１０１および前記レール１３０１に沿って移動し、前記ガン玉２を前記シュート１０２に向けて押出して前記ガン玉２を前記搬送モジュール１４に装填し、
前記搬送モジュール１４は、搬送ロッド部材１４０と、位置決め部材１４１と、プッシュロッド１４２と、を有し、
前記搬送ロッド部材１４０は、結合台１４００と、前記結合台１４００の一端において上下に対応するように形成された第一合板１４０１および第二合板１４０２と、を有し、前記第一合板１４０１と前記第二合板１４０２との先端によって形成される空間に前記ガン玉２を保持でき、
前記位置決め部材１４１は、
前記位置決め用ピン１０３が嵌まる軸穴１４１０と、
弧状の中空孔である変位チャンネル１４１１と、
一端に向けて延伸するように形成された鉤状のロッドであって、その端部に板状の位置決め板１４１２０が形成されている支持ロッド１４１２と、を有し、
前記プッシュロッド１４２は、柱状の連動ロッド１４２０を有し、前記連動ロッド１４２０は前記位置決め部材１４１の前記変位チャンネル１４１１と、前記搬送ロッド部材１４０の前記結合台１４００と、に通され、
前記ガン玉装填部材１３１が前記レール１０１および前記レール１３０１に沿って移動して、前記ガン玉２を前記シュート１０２に向けて押し出して、前記ガン玉２を前記第一合板１４０１と前記第二合板１４０２との間の前記空間に装填し、
このとき、前記位置決め板１４１２０が前記ガン玉２の溝に入ることでガン玉２の溝の開口方向を外側に向けてガン玉２を保持し、
前記プッシュロッド１４２の連動ロッド１４２０を前記変位チャンネル１４１２に沿って移動させながら前記搬送ロッド部材１４０を前記シュート１０２に沿って押し出すときに、前記位置決め部材１４１は前記位置決め用ピン１０３を中心として回動することにより前記位置決め板１４１２０が前記ガン玉２の溝から離脱し、
続いて、前記ガン玉２の溝に前記釣り糸３が入るとともに、前記抑圧部材１２０により前記第一合板１４０１を抑圧して、これにより、前記第一合板１４０１と前記第二合板１４０２とによりガン玉２を抑圧して前記釣り糸３を前記ガン玉２の溝で挟み込む
ことを特徴とするガン玉装填装置。
【請求項２】
請求項１に記載のガン玉装填装置において、
前記プッシュロッド１４２にはプッシュハンドル１４２１が形成され、前記プッシュハンドル１４２１が前記上蓋１１に形成された穿設部１１０１および前記押し板１２に形成された中空部１２２を通って外に出ており、前記プッシュハンドル１４２１により前記プッシュロッド１４２を押すことができる
ことを特徴とするガン玉装填装置。
【請求項３】
請求項１または請求項２に記載のガン玉装填装置において、
前記ガン玉装填部材は、前記ベース１０および前記上蓋１１の側方から外に出るプッシュ部１３１１を有し、
前記プッシュ部１３１１は指で接触され、
前記プッシュ部１３１１により前記ガン玉装填部材を押すことができる
ことを特徴とするガン玉装填装置。